(57)【要約】【課題】コンパクトなマッサージ機構とすると共に、床面に載置した際に後方転倒せず、自立的に起立状態を維持する座椅子型マッサージ機を提供する。【解決手段】本発明の座椅子型マッサージ機１は、使用者の背部をマッサージするマッサージ機構８と、床面上に載置可能で且つ使用者の臀部が着座可能とされた座部２と、座部２の後部に配備されて使用者の背部を支持可能に設けられ、マッサージ機構８を内蔵する背もたれ部４と、を有する座椅子型マッサージ機において、座部２の後部には、使用者の非着座時において、背もたれ部４が後方に倒れこむことを防止する転倒防止機構７９が設けられている。【選択図】図２
2016026107.tif 000002
【特許請求の範囲】
【請求項１】
使用者の背部をマッサージするマッサージ機構と、床面上に載置可能で且つ使用者の臀部が着座可能とされた座部と、前記座部の後部に配備されて使用者の背部を支持可能に設けられ、前記マッサージ機構を内蔵する背もたれ部と、を有する座椅子型マッサージ機において、
前記背もたれ部の内部をマッサージ機構が移動可能となっていて、
前記座部の後部には、前記使用者の非着座時において、前記背もたれ部が後方に倒れこむことを防止する転倒防止機構が設けられている
ことを特徴とする座椅子型マッサージ機。
【請求項２】
前記転倒防止機構は、前記座部に対して後方に向けて出退自在に設けられていることを特徴とする請求項１に記載の座椅子型マッサージ機。
【請求項３】
前記転倒防止機構は、棒状の部材をＵ字状に形成された転倒防止部材を有し、Ｕ字形状の開放側に対応する部位が前記座部に対して、摺動自在に取り付けられていることを特徴とする請求項１又は２に記載の座椅子型マッサージ機。
【請求項４】
前記転倒防止機構は、前記座部の後部において前後方向へ揺動自在に取り付けられており、前記座部の後方へ揺動して後方突出且つ固定状態となることを特徴とする請求項１又は２に記載の座椅子型マッサージ機。
【請求項５】
前記座部は、前記背もたれ部に対して重合するように折りたたみ可能に構成されていることを特徴とする請求項１〜４のいずれかに記載の座椅子型マッサージ機。
【請求項６】
前記座部は、前後方向に前座部と後座部とに分かれており、前記前座部は後座部に対して垂下可能となるように連結されていることを特徴とする請求項１〜５のいずれかに記載の座椅子型マッサージ機。
【発明の詳細な説明】
【技術分野】
【０００１】
本発明は、座椅子型マッサージ機に関する。
【背景技術】
【０００２】
従来、マッサージ機構は、揉み、叩き、指圧、振動の少なくとも一つの以上のマッサージ動作を発生させ、使用者の施療部に対してマッサージ動作を付与している。
このようなマッサージ機構（背揉み装置）として、特許文献１に示すものがある。
【先行技術文献】
【特許文献】
【０００３】
【特許文献１】特開２００９−５６０１９号公報
【発明の概要】
【発明が解決しようとする課題】
【０００４】
ところで、特許文献１に開示されているマッサージ機構は、大型のソファチェアに内蔵されるものであり、比較的小型でコンパクトな座椅子型マッサージ機の背もたれ部に、このマッサージ機構を内蔵したとすると、この椅子型マッサージ機が重く且つ大型になってしまう虞があるので、使用者が任意に様々な場所に移動させて、マッサージ動作を受けることができなくなってしまう。
【０００５】
さらに、背もたれ部の上下方向の長さが座部の前後方向の長さに対して、長尺のものとなっている座椅子型マッサージ機に、上記のマッサージ機構を内蔵すると、座部に対して、マッサージ機構の重量分だけ背もたれ部が重くなるので、座椅子型マッサージ機全体の重心が高いものとなる。背もたれ部、特に背もたれ部の上側が重い（重心が高くなる）と、使用者の非着座時、つまり座椅子型マッサージ機を床面上に載置しただけのときに後方に転倒する虞があり、使用者が容易に着座できなくなる虞がある。
【０００６】
そこで、本発明は上記事情に鑑みてなされたものであって、床面に載置した際に後方転倒せず、自立的に起立状態を維持する座椅子型マッサージ機を提供することを目的とする。
【課題を解決するための手段】
【０００７】
上記目的を達成するため、本発明においては以下の技術的手段を講じた。 
本発明のマッサージ機構は、使用者の背部をマッサージするマッサージ機構と、床面上に載置可能で且つ使用者の臀部が着座可能とされた座部と、前記座部の後部に配備されて使用者の背部を支持可能に設けられ、前記マッサージ機構を内蔵する背もたれ部と、を有する座椅子型マッサージ機において、前記背もたれ部の内部をマッサージ機構が移動可能となっていて、前記座部の後部には、前記使用者の非着座時において、前記背もたれ部が後方に倒れこむことを防止する転倒防止機構が設けられていることを特徴とする。
【０００８】
好ましくは、前記転倒防止機構は、前記座部に対して後方に向けて出退自在に設けられているとよい。
好ましくは、前記転倒防止機構は、棒状の部材をＵ字状に形成された転倒防止部材を有し、Ｕ字形状の開放側に対応する部位が前記座部に対して、摺動自在に取り付けられているとよい。
【０００９】
好ましくは、前記転倒防止機構は、前記座部の後部において前後方向へ揺動自在に取り付けられており、前記座部の後方へ揺動して後方突出且つ固定状態となるとよい。
好ましくは、前記座部は、前記背もたれ部に対して重合するように折りたたみ可能に構成されているとよい。
好ましくは、前記座部は、前後方向に前座部と後座部とに分かれており、前記前座部は後座部に対して垂下可能となるように連結されているとよい。
【発明の効果】
【００１０】
本発明によれば、座椅子型マッサージ機を床面に載置した際に後方転倒せず、自立的に起立状態を維持することが可能となる。
【図面の簡単な説明】
【００１１】
【図１】本発明の座椅子型マッサージ機の全体を示す斜視図である（表カバー体を省略して描いている）。
【図２】座椅子型マッサージ機の後方斜視図であり、転倒防止部材が張り出されている状態を示す図である。
【図３】座椅子型マッサージ機を底面から見た斜視図であり、転倒防止部材が張り出されている状態を示す図である。
【図４】座椅子型マッサージ機の後方斜視図であり、転倒防止部材が格納されている状態を示す図である。
【図５】座椅子型マッサージ機を底面から見た斜視図であり、転倒防止部材が格納されている状態を示す図である。
【図６】座椅子型マッサージ機の収納状態を示す斜視図である（表カバー体と座部のカバー体を省略して描いている）。
【図７】本発明の変形例にかかる座椅子型マッサージ機の全体を示す斜視図である。
【発明を実施するための形態】
【００１２】
以下、本発明の実施形態を、図を基に説明する。
図１〜図６は、本発明にかかる座椅子型マッサージ機１の実施形態を示している。
まず、以下では説明の便宜上、図１における左右方向を、本実施形態の座椅子型マッサージ機１を説明する場合の「右左方向」、「幅方向」とする。また、図１における上下方向を、座椅子型マッサージ機１を説明する場合の「上下方向」とする。さらに、図１における左斜め方向を向く紙面貫通方向を、座椅子型マッサージ機１を説明する場合の「前後方向」とする。これらは、座椅子型マッサージ機１の座部２に着座した使用者から見た前後方向、左右方向、上下方向と一致する。
【００１３】
まず、本実施形態の座椅子型マッサージ機１の概要について、説明する。
図１に示すように、本実施形態の座椅子型マッサージ機１は、リビングのフロアなどの床面上に載置可能で且つ使用者の臀部が着座可能とされた座部２と、座部２の後部に配備されて使用者の背部を支持可能に設けられた背もたれ部４と、背もたれ部４に内蔵され、且つ座部２に着座した使用者の肩部から腰部にかけて施療する、すなわち背部に対して施療するマッサージ機構８と、を有する。
【００１４】
なお、この座椅子型マッサージ機１は、ソファなど大型の椅子の座面上にも載置可能とされている。すなわち、座椅子型マッサージ機１が載置される床面とは、リビングのフロアなどの床面に限らず、椅子の座面も含む。
図１に示すように、座部２は、平面視で略矩形状に形成された部材であり、内部にフレーム部材３が配備されている。また、座部２上面（座面）側には、クッション部材（図示せず）が配備されている。この座部２は、座面に使用者の臀部が着座可能とされている部材、すなわち使用者の臀部を下方から支持するに十分な広さを有する板状の部材であり、座面がほぼ水平に向くように床面上に載置される。この座部２は、使用者に良好な座り心地を提供できるようになっている。
【００１５】
背もたれ部４は、座部２の後部に配備されて使用者の背部（腰部〜肩部）を支持する部材であり、内部が空洞となった筐体（ケーシング）である。また、背もたれ部４は、上下方向の長さが座部２の前後方向の長さに対して長尺である。
この背もたれ部４は、使用者の背部を全面に亘って覆うことができるように、幅が使用者の肩幅よりやや広く且つ上下方向に長尺な板形状（プレート形状）であり、例えばプラスチックなど、金属より軽量とされる材料を用いて形成されている。
【００１６】
具体的には、図１に示すように、背もたれ部４は、前後方向の厚みが幅方向に比して薄く、且つ、上下方向に長尺な板状の外観を備えており、マッサージ動作を行う際には前後方向を向いて起立するようになっている。この背もたれ部４は、基盤プレート５（後側プレート）と、被覆プレート６（前側プレート）とを有している。
図１に示すように、基盤プレート５は、前後方向の厚みが薄く、前方に向かって開口し、且つ浅い凹状に形成されている。この基盤プレート５の前面には、基盤プレート５の前面上（背もたれ部４の内部）を上下方向に自在に移動させる上下移動機構６５を備えるマッサージ機構８が取り付けられている。
【００１７】
一方、被覆プレート６は、前後方向の厚みが薄く、且つ、基盤プレート５と同様に上下方向に長尺な板状に形成されていて、後方に向かって開口し、且つ浅い凹状に形成されている。この被覆プレート６は、開口側と基盤プレート５の開口側とを合わせるように、基盤プレート５の前面を全面に亘って覆うことで、基盤プレート５の前方を向く開口を閉鎖する。
【００１８】
また、被覆プレート６の幅方向の中央側には、長手方向（上下方向）に沿って開口部７が形成されている。具体的には、この開口部７は、マッサージ機構８の幅より広く、且つ被覆プレート６の幅よりも狭い開口幅を左右方向に備えている。また開口部７は、被覆プレート６の上下方向の寸法よりやや小さな開口寸法を上下方向に備えている。つまり、この開口部７を正面から見た場合、上下方向に長い帯状に開口しており、この上下方向に長い開口部７に沿ってマッサージ機構８が上下方向に移動する。
【００１９】
また、開口部７には、この開口部７を隙間なく閉鎖する布状の表カバー体（図示せず）が設けられている。この布状の表カバー体により、マッサージ機構８が使用者の背部（施療部）に直接当たらないようになっている。
まとめると、背もたれ部４は、被覆プレート６と基盤プレート５が前後方向に重ね合わされた構成であり、その重ね合わされた内部に空間が形成され、その空間にマッサージ機構８が配備されている。
【００２０】
さて、本実施形態の座椅子型マッサージ機１には、座部２の後側に使用者の非着座時において、背もたれ部４又は座椅子型マッサージ機１自体が後方に倒れこむことを防止する転倒防止機構７９が設けられている。
本実施形態の転倒防止機構７９は、棒状の部材をＵ字状に屈曲して形成された転倒防止部材８０と、その転倒防止部材８０を案内する案内部材８４とを有している。
【００２１】
図２〜図５に示すように、転倒防止部材８０は、座部２が床面などに載置されたとき、略水平方向を向いたフレーム部材３内を前後方向に移動するように配備されている。転倒防止部材８０は、フレーム部材３におけるＵ字形状の開放側に対応する部位が、座部２を構成するフレーム部材３に対して、摺動自在に取り付けられている。
転倒防止部材８０は、座部２の前後方向を向き、且つ座部２の幅（左右）方向に一対配備された棒材８１と、その一対の棒材８１を連結する連結部材８２とを有し、平面視で屈曲したＵ字形状に形成されている。なお、本実施形態においては、Ｕ字状の屈曲部を棒材８１と連結部材８２とが連結された部位としている。
【００２２】
棒材８１は、円柱状で長尺の部材であって、長さが座部２の前後方向の長さのおよそ半分とされている。また棒材８１の先端には、貫通孔８３が形成されていて、その貫通孔８３には短尺で円柱状のピン（図示せず）が挿通して取り付けられる。このピンは、転倒防止部材８０が引き出された際に、後述する案内部材８４に引っかかることで、転倒防止部材８０が後側に脱落することを防止している。
【００２３】
連結部材８２は、所定の厚みを有する取手であって、長手方向の長さが左右一対配備された棒材８１の間隔と同じ距離、乃至はその間隔よりも離れた距離のものとされている。また、連結部材８２は、転倒防止部材８０を出退自在とするため、使用者が持ちやすい形状で形成されている。なお、本実施形態においては、連結部材８２は左右一対配備された棒材８１の間隔よりも、十分に離れた距離の長さで形成された角柱状の棒材８１で形成されている。
【００２４】
一方で、案内部材８４は、転倒防止部材８０が座部２に対して後方に向けて出退自在となるように、座部２内に設けられているものである。
この案内部材８４は、転倒防止部材８０を案内することができるように、座部２を構成するフレーム部材３の前後方向の略中央に一つ設けられている。案内部材８４は、長尺の板片で形成されていて、長手方向がフレーム部材３の幅方向の左側から右側に掛け渡されるように、取り付けられている。案内部材８４の両端には、孔８５が一つずつ形成されている。すなわち、案内部材８４は、略メガネ形状に形成された長尺の部材である。二つの孔８５の間隔は、転倒防止部材８０を構成する二つの棒材８１の間隔と同じであり、孔８５の内周径は転倒防止部材８０を構成する棒材８１の外周径とほぼ同じ径である。
【００２５】
なお、フレーム部材３の後部にも、棒材８１が挿通することのでき、且つその棒材８１を案内できる貫通孔８６が、一対の棒材８１の間隔と同じ幅方向の間隔で形成されている。
案内部材８４に形成された孔８５の間隔を、棒材８１の間隔と同じとし、且つ孔８５の内周径を棒材８１の外周径とほぼ同じ径とすることにより、転倒防止部材８０を座部２の後方に向かって、且つ水平方向に案内することができる。
【００２６】
以上述べたように、本実施形態の座椅子型マッサージ機１の特徴としては、座部２の後部に、使用者の非着座時（着座前）において、背もたれ部４が後方に倒れこむことを防止する転倒防止部材８０を設け、その転倒防止部材８０を座部２に対して後方に向けて出退自在としていることにある。
このように、後方に向けて出退自在の転倒防止機構７９を座部２の後部に設けることで、座椅子型マッサージ機１の座部２を床面に載置した際に後方転倒せず、自立的に起立状態を維持することが可能となる。
【００２７】
ところで、図６に示すように、座部２は、背もたれ部４に対して重合するように折りたたみ可能に構成されている。
詳しくは、座部２の後部と背もたれ部４の下部との間には、折りたたみ機構８７が座椅子型マッサージ機１の幅（左右）方向に一対配備されている。折りたたみ機構８７は、座部２の後部に上方に突出状に設けられた突出片８８と、背もたれ部４の下部に内蔵され、突出片８８を揺動自在に枢支する枢支部材（図示せず）とを有している。
【００２８】
突出片８８は、上下（長手）方向に所定の高さを有している板片であって、上部に孔（図示せず）が形成されている。枢支部材は、上下（長手）方向に長尺の板片であって、下部に孔が形成されている。枢支部材は、下部に形成された孔と突出片８８の孔とを合わせた上で、突出片８８を枢支している。
この突出片８８が枢支部材に対して上方向に揺動することで、座部２が背もたれ部４に対して重合するように折りたたまれて、座椅子型マッサージ機１における前後方向の厚みを薄く、コンパクトにすることができる（図６参照）。また、突出片８８が枢支部材に対して下方向に揺動することで、座部２が引き出されて、使用者が座部２に着座可能とすると共に、背もたれ部４にもたれ掛かることが可能となる（図１参照）。
【００２９】
以下に、上記した本実施形態のマッサージ機構８の作動態様について、説明する。
本実施形態のマッサージ機構８を内蔵する座椅子型マッサージ機１を使用するに際しては、まず、図６に示す座部２を背もたれ部４に重なるように折り畳んだ状態から始めることとする。
図１、図２に示すように、座部２を折り畳んだ状態から水平方向となるように引き出すと共に、転倒防止部材８０のフレーム部材３を座部２から後方へ引き出す。すなわち、使用者は、背もたれ部４がほぼ起立した状態として、座椅子型マッサージ機１を床面に載置する。そして、このような載置状態にした上で、使用者は座部２に着座する。
【００３０】
その上で、マッサージ機構８を駆動し、使用者の肩部から腰部（背部）の上下に亘ってマッサージ効果を付与する。
なお、座椅子型マッサージ機１を、通常の椅子やソファの上に載置し、その上で、当該座椅子型マッサージ機１に座り、マッサージ機構８を駆動してマッサージを受けることも可能である（変形例）。
【００３１】
前述したように、本実施形態の座椅子型マッサージ機１は、床面に置いた上で使用することを念頭に置いているため、使用者が床面上でリラックスして座ることができるように、座部２が大きなもの（特に前後方向に長いもの）とされている。そのため、座椅子型マッサージ機１を、通常の椅子やソファの上に載置した場合、通常の椅子やソファの座面の前端部より、座椅子型マッサージ機１の座部２がはみ出るような虞がある。この場合、使用者は座りづらいものとなる。
【００３２】
そこで、図７に示すように、変形例にかかる座椅子型マッサージ機１は、座部２の前部で（例えば前端から前後長さ１／３のところで）２つの部材に分かれている。２つの部材のうちの前側（前座部２Ａ）と、２つの部材のうちの後側（後座部２Ｂ）とは、可撓性のある布部材などの連結部材で連結されていて、後座部２Ｂに対して前座部２Ａが垂下状態に折り曲げることができるような構造となっている。とはいえ、前座部２Ａと後座部２Ｂとは連結部材で連結されているため、前座部２Ａと後座部２Ｂとが離散することはない。
【００３３】
上記した構成を有する変形例の座椅子型マッサージ機１を、通常の椅子やソファの上に載置した際には、通常の椅子やソファの座面の前端部からはみ出た前座部２Ａを下側に折り曲げることができる。このようにすることで、通常の椅子やソファの座面の前端部より、座椅子型マッサージ機１の座部２がはみ出るような不都合を回避でき、使用者は座部２（後座部２Ｂ）の上に確実に座ることができ、リラックスした姿勢で、マッサージを受けることができるようになる。
【００３４】
ところで、本実施形態では、転倒防止部材８０としてＵ字形状のフレーム部材３を例示したが、転倒防止部材８０はこの形態に限定されるものではない。
例えば、転倒防止部材８０が左右方向を向く長方形状の板体からなり、その長手方向一辺が座部２の下部後方において、前後方向へ揺動自在に取り付けられたものでもよい。このような転倒防止部材８０を使用する際には、長方形状の転倒防止部材８０を座部２の後方へ揺動させ、座部２の後方側へ張り出させ、座部２に対する位置を固定した状態を実現するとよい。逆に、転倒防止部材８０を使用しない際には、長方形状の転倒防止部材８０を座部２の前方に揺動させ、座部２の下面に貼り付けるように折り込むとよい。
【００３５】
なお、本発明の範囲は上記した説明ではなくて特許請求の範囲によって示され、特許請求の範囲と均等の意味および範囲内でのすべての変更が含まれることが意図される。
また、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００３６】
１  座椅子型マッサージ機
２  座部
３  フレーム部材
４  背もたれ部
５  基盤プレート（後側プレート）
６  被覆プレート（前側プレート）
７  開口部
８  マッサージ機構
９  基台
７９  転倒防止機構
８０  転倒防止部材
８１  棒材
８２  連結部材
８３  貫通孔
８４  案内部材
８５  孔
８６  貫通孔
８７  折りたたみ機構
８８  突出片
８９  支持部
【図１】
2016026107.tif 000003
【図２】
2016026107.tif 000004
【図３】
2016026107.tif 000005
【図４】
2016026107.tif 000006
【図５】
2016026107.tif 000007
【図６】
2016026107.tif 000008
【図７】
2016026107.tif 000009